(57)【特許請求の範囲】
【請求項１】
先端側横断面形状を楕円ないし矩形状に、かつ少くとも先端側筒部分よりも基端側の筒部分は基部側小径のテーパ状部3aとなし、又該筒部基端から、噴霧液体収納容器体のキャップ33外径以上の外径を有する第１内向きフランジ４を介して、円筒状のノズル嵌合筒５を突出し、該嵌合筒基端面に第２内向きフランジ６を付設した、薄肉合成樹脂製シートで成形したフード１であって、上記第２内向きフランジ６のフランジ孔７を、横断面三角形状とした、上記フード取付け用トリガー式噴霧器ノズル24の基部外径とほぼ同形状かつ同一大きさに、かつ上記ノズル嵌合筒５の第１、第２内向きフランジ４、６間の長さを、上記ノズル24の長さとほぼ等しく形成したことを特徴とするトリガー式噴霧器のフード。
【請求項２】
フード１を圧空真空成形方法により成形したことを特徴とする請求項１記載のトリガー式噴霧器のフード。
【発明の詳細な説明】
【０００１】
【産業上の利用分野】
本発明は、広く使用されているトリガー式噴霧器に装着させるための、主として霧飛散防止用のフードに関する。
【０００２】
【従来の技術】
エアゾール式噴霧器のノズルにメガホン形状フードを取付けたものが知られている。
【０００３】
【発明が解決しようとする課題】
上記メガホン形状のフードをトリガー式噴霧器に使用しようとすると、該トリガー式噴霧器はエアゾール式噴霧器に比べて大形であるため、該噴霧器に使用するフードも大形化することとなり、すると該フードの取扱いが面倒となる。
【０００４】
本発明は、フードが大形化してもトリガー式噴霧器装着時、殆んどその重量を感じないで使用できるよう、又フード先端部を断面ほぼ楕円形状として、噴霧器のノズルに対するフード回転により、被噴霧面の形状等に応じて縦長又は横長に噴霧可能に、更にフードのノズル嵌合筒基端面に、ノズルの挿入および抜出しが容易で、しかも噴霧器がノズル後端面側に有する環状の隙間部分内へ緊密に嵌合可能な第２内向きフランジを付設することでノズルに対して、従って噴霧器に対してフード取付けが安定するよう、更に又輸送時等において、噴霧器装着用の噴霧液体収納容器体外面へフードを深く被せることが可能とすることで、それ等を包装箱内へ収納することが容易に形成したものである。
【０００５】
【課題を解決するための手段】
第１の手段として、先端側横断面形状を楕円ないし矩形状に、かつ少くとも先端側筒部分よりも基端側の筒部分は基部側小径のテーパ状部3aとなし、又該筒部基端から、噴霧液体収納容器体のキャップ33外径以上の外径を有する第１内向きフランジ４を介して、円筒状のノズル嵌合筒５を突出し、該嵌合筒基端面に第２内向きフランジ６を付設した、薄肉合成樹脂製シートで成形したフード１であって、上記第２内向きフランジ６のフランジ孔７を、横断面三角形状とした、上記フード取付け用トリガー式噴霧器ノズル24の基部外径とほぼ同形状かつ同一大きさに、かつ上記ノズル嵌合筒５の第１、第２内向きフランジ４、６間の長さを、上記ノズル24の長さとほぼ等しく形成した。
【０００６】
第２の手段として、上記第１の手段を有すると共にフード１を圧空真空成形方法により形成した。
【０００７】
【作用】
フード１の第１内向きフランジ４外径は、該フードを装着させるトリガー式噴霧器用噴霧液体収納容器体３１のキャップ３３外径以上の外径を有し、図２のように上記容器体３１の上部外面へ被せることが出来る。又ノズル嵌合筒５の基端面に付設した第２内向きフランジ６のフランジ孔７内へ、図３が示すようにトリガー式噴霧器のノズル２４を位置合せして挿入させ、該状態からフードを僅かに回すと、図５Ａが示すように第２内向きフランジ６の内縁部分が、上記ノズル２４後端面と、該ノズルを嵌合させた噴霧器射出筒の小径部分２５の直ぐ後方大径部分の前端面との間に形成されている、環状の小間隙２６内へ摩擦に抗して喰込み、上記ノズル後端面と射出筒後方大径部分前端面とで挟持され、フード先端部を縦向きとすることが出来る。又該縦向き状態から更に回動させて図５Ｂが示すように横向きとすることが出来る。該状態にあっても上記第２内向きフランジ６は上記小間隙２６内で挟持されている。フード１取外しの際は、既述フランジ孔７形状とノズル形状とが一致する位置まで戻し、そのままフード１を引き抜くことが出来る。
【０００８】
【実施例】
まず本発明のフードの説明に先だって、該フードを装着させる公知のトリガー式噴霧器および、該噴霧器を装着させる噴霧液体収納容器体について予め簡単に説明しておくと、２１はトリガー式噴霧器で、その下面から上記噴霧液体収納容器体の口部へ嵌合させる装着筒２２を垂下し、又その装着筒内を通って、上記容器体内底部まで垂下させる液体吸上げ用の吸込みパイプを垂設する。２３はトリガーで、該トリガー操作で容器体内液体をシリンダ内へ吸込み、又該シリンダ内液体を射出筒内を通ってノズル２４から噴出する。
【０００９】
ノズル２４は、射出筒前端部に設けた小径部２５外面へ回動可能に嵌合されており、通常横断面三角形状として、その三面のうちの一面を上面に位置させてトリガーを操作することで噴出液体を霧としたり、又液体をそのまま噴出したり、ノズル孔が閉塞されて噴出不能となるよう設けている。ノズル２４後端面と射出筒大径部分の前端面との間、ないしはその大径部分外面へ嵌合させたカバー部分前端との間には通常環状の小間隙２６が形成されており、本発明のフードはその小間隙を利用している。
【００１０】
噴霧液体収納容器体３１は、図２、図４が示すように、胴部３２横断面を前後方向に長い楕円形状とし、かつ胴部上半は、上部を小径化したテーパ部３２ａ  として、図４のように該容器体にトリガー式噴霧器２１を装着した状態でトリガー２３の操作が行い易いよう設けている。上記噴霧器を装着する前にあっては、容器体口部をキャップ３３で密閉し、該容器体と、トリガー式噴霧器と、フードとを、包装箱内に収納した状態で輸送等行う。
【００１１】
本発明のフード１は、上記のような容器体３１およびトリガー式噴霧器２１と共に輸送されるものであり、使用に際しては、図４が示すように、上記容器体３１に上記噴霧器２１を装着させ、該噴霧器のノズル２４へフード１を着脱自在に装着するよう設けた物である。
【００１２】
フード１は、先端側横断面形状を楕円ないし矩形状に、又先端側筒部分２よりも基端側の筒部分３は基部側小径のテーパ状部3aとしている。先端側筒部分２は筒方向の各部分において図示のように同径とすることが好ましい。筒部基端からは第１内向きフランジ４を介して円筒状のノズル嵌合筒５を突出する。その第１内向きフランジ４は、図２が示すように噴霧液体収納容器体31の上部外面へ深く被せることが可能に、上記容器体の口部を密閉するキャップ33の外径と同一ないし僅かに大外径としている。
【００１３】
既述ノズル嵌合筒５の基端面へは、第２内向きフランジ６を付設する。該フランジのフランジ孔７は、該フードを装着させるトリガー式の噴霧器２１のノズル２４横断面形状の基部外径とほぼ同形状かつ同一大きさに形成し、図３が示すようにそのフランジ孔７に通してノズル嵌合筒５内へノズル２４を差込み、該差込み状態からフード１を噴霧器２１に対して回動させると、図５が示すように第２内向きフランジ６が既述小間隙２６内に摩擦に抗して喰込み、図５Ａが示すようにフード先端部を縦方向に、又該状態から更にフードを回動させることで図５Ｂが示すように横方向へ向きを変えることが可能とする。
【００１４】
上記フードは、薄肉の合成樹脂製シートを、いわゆるシート成形、つまり圧空真空成形方法により、ノズル嵌合筒５基端面が閉塞された状態で形成した後、その基端閉塞板にフランジ孔７を穿設してその閉塞板を第２内向きフランジ６とすることが望ましい。該フードは薄肉の合成樹脂製でしかも相当の深さを有するため、通常の真空成形方法およびその他の成形方法での成形は比較的困難となるが、圧空真空成形方法によれば容易に成形することが出来る。
【００１５】
【発明の効果】
本発明は薄肉合成樹脂製シートで形成したフード１の筒部の先端側横断面形状を楕円ないし矩形状とすると共に、円筒状としたノズル嵌合筒５基端面の第２内向きフランジ６のフランジ孔７を、横断面三角形状とした、フード取付け用のトリガー式噴霧器ノズル24の基部外径とほぼ同形状かつ同一大きさに、かつノズル嵌合筒５の第１、第２内向きフランジ４、６間長さを、ノズル24の長さとほぼ等しく設けたから、上記フランジ孔７を通ってノズル嵌合筒５内へ噴霧器のノズル24を差込みした後、噴霧器に対してフード１を回動させることで上記第２内向きフランジ６を、噴霧器の射出筒大径部の前端面とノズル24後端面との間の小間隙26内へ摩擦に抗し喰込みさせてトリガー式噴霧器21に対してフードを確実に装着できると共に該フード回動によりフードの筒部先端部を縦向き、或いは横向きとして被噴霧面の形状等に応じて効率的に噴霧させることが出来、又フランジ孔７とノズル24との位置合わせにより容易にフード１を取外しすることが可能である。更に先端側筒部分よりも基端側の筒部分を基部側小径のテーパ状部3aとすると共に、その筒部基端の第１内向きフランジ４外径を、噴霧液体収納容器体のキャップ33の外径以上としたから、図３が示すように、上記容器体上部外面にフード１を被せて装着箱等に収納することが出来る便利がある。
【００１６】
請求項２の場合は、上記フード１を圧空真空成形方法により形成するから、フード１が薄肉合成樹脂製で、しかも相当の深さ（高さ）を有して他の成形方法では成形が比較的困難であるに拘らず、容易に形成でき、又軽量とすることが出来る。
【図面の簡単な説明】
【図１】本発明フードの斜視図である。
【図２】図１フードを噴霧液体収納容器体に被せた状態で示す側面図である。
【図３】トリガー式噴霧器のノズルへ、フードのノズル嵌合筒を嵌合させる状態を示す斜視図である。
【図４】トリガー式噴霧器にフードを装着させた状態を示す側面図である。
【図５】トリガー式噴霧器のノズルに対するフード嵌合状態を示すもので、同図Ａはフードを縦向きに、かつ同図Ｂはフードを横向きにした状態を示す説明図である。
【符号の説明】
５…ノズル嵌合筒        ６…第２内向きフランジ
７…フランジ孔
【図１】
0003566784.tif 000002
【図２】
0003566784.tif 000003
【図３】
0003566784.tif 000004
【図４】
0003566784.tif 000005
【図５】
0003566784.tif 000006